(57)【要約】【課題】簡単な構成で付加効果の種類を切り替え可能な効果付加装置を提供する。【解決手段】メインエフェクタ部１０を起動させた場合には、メインエフェクタ部１０での効果付加が施された信号のみを外部出力させると共に、リリースエフェクタ部２０に第１の効果付加信号を供給格納させておく。一方、メインエフェクタ部１０の起動を停止させた場合には、メインエフェクタ部２０において供給格納されていた効果付加信号に対して第２の効果付加を施してこの信号を外部出力させる。この結果、時間調整等の複雑な処理を不要としながら、付加効果を切り替え可能な効果付加装置を実現することが可能になる。【選択図】図１
2008003509.tif 000002
【特許請求の範囲】
【請求項１】
供給された信号に第１の効果付加を施す第１のエフェクタ部と、供給された信号に第２の効果付加を施す第２のエフェクタ部と、装置動作を制御する制御手段と、を備え、
前記制御手段は、
前記第１のエフェクタ部を起動させた場合には、前記第１の効果付加が施された信号を外部出力させると共に、前記第２のエフェクタ部にこの第１の効果付加信号を供給格納させておく一方、
前記第１のエフェクタ部の起動を停止させた場合には、前記第２のエフェクタ部において格納されていた前記第１の効果付加を施した信号に対して第２の効果付加を施して外部出力させることを特徴とする効果付加装置。
【発明の詳細な説明】
【技術分野】
【０００１】
本発明は、楽音信号等に効果付加を行う効果付加装置に係わり、特に複数の効果付加部の切り替え技術の改良に関する。
【背景技術】
【０００２】
与えられた信号に各種の効果付加を行う装置が従来から提案されている。例えば、３つの残響付加手段を切り替えながら、供給信号に効果付加を与え効果付加が施された信号を出力する残響信号付加装置等が提案されている（例えば、特許文献１参照）。この装置によれば３種類の異なる残響効果を付加するための残響付加手段を備え、これらを切り替えながら所望の残響効果付加を行っていた。
【０００３】
【特許文献１】特開２００５−３４５９７９公報（第５−１０頁、第１図）
【発明の開示】
【発明が解決しようとする課題】
【０００４】
そして、上述した従来装置にあっては、或る残響付加手段から他の残響付加手段に切り替える時にクリック（異音）を発生させるのを阻止するため、切り替え対象となる両残響付加手段からの信号を時間軸を揃えて出力するものであった。したがって、このような装置においては、時間軸を揃えるための処理が複雑になることが避けられなかった。
【０００５】
本発明は、かかる従来の課題を解決するためになされたもので、簡単な構成で違和感なく効果付加部の切り替えを可能とする効果付加装置を提供することを目的とする。
【課題を解決するための手段】
【０００６】
上記目的を達成するために、本発明は、供給された信号に第１の効果付加を施す第１のエフェクタ部と、供給された信号に第２の効果付加を施す第２のエフェクタ部と、装置動作を制御する制御手段と、を備え、
前記制御手段は、
前記第１のエフェクタ部を起動させた場合には、前記第１の効果付加が施された信号を外部出力させると共に、前記第２のエフェクタ部にこの第１の効果付加信号を供給格納させておく一方、
前記第１のエフェクタ部の起動を停止させた場合には、前記第２のエフェクタ部において格納されていた前記第１の効果付加を施した信号に対して第２の効果付加を施して外部出力させることを特徴とする効果付加装置。
【０００７】
この発明によれば、制御手段が、第１のエフェクタ部を起動させた場合には、第１の効果付加が施された信号を外部出力させると共に、第２のエフェクタ部にこの第１の効果付加信号を供給格納させておく一方、第１のエフェクタ部の起動を停止させた場合には、第２のエフェクタ部において格納されていた前記第１の効果付加を施した信号に対して第２の効果付加を施して外部出力させる。この結果、時間調整等の複雑な処理を不要としながら、効果付加部の切り替えを行うことが可能になる。
【発明の効果】
【０００８】
本発明によれば、簡単な構成で違和感なく効果付加部の切り替えを可能とする効果付加装置を提供することが可能になるという効果が得られる。
【発明を実施するための最良の形態】
【０００９】
以下、本発明を実施するための最良の形態を図面を参照しつつ説明する。
【００１０】
（構成）
図１は本発明の実施形態である効果付加装置１の構成図である。楽音信号等の音信号が、不図示のアナログデジタル変換器によってデジタル信号に変換されメインエフェクタ部１０に供給可能になっている。また、リリースエフェクタ部２０は供給された信号に対してメインエフェクタ部１０とは異なる効果付加を行う。
両エフェクタ部１０、２０の間にはスイッチ３０が介在しており、また、メインエフェクタ部１０の出力はスイッチ３２を介して加算器４０に供給されるように構成され、更に、リリースエフェクタ部２０と加算器４０との間にはスイッチ３４が設けられている。
【００１１】
そして、これらスイッチ３０、３２、３４は、装置動作の制御を行う制御部１００によってオン、オフ制御される構成となっている。なお、各スイッチ３０、３２、３４のオン、オフを急激に行わないようにすることがノイス発生阻止上好ましい。これらスイッチ３０、３２、３４は、例えば図４に示すような乗算器３８で構成し、その乗算係数αを制御部１００が除々に変化させる構成とする。より具体的には、スイッチオフからスイッチオンにする場合には、係数αを「０．０からΔずつ上昇させて最終的にＭＡＸ値（最大係数値）にする」制御を行う構成とする。一方、スイッチオンからスイッチオフにする場合には、係数αを「ＭＡＸ値からΔずつ下降させて最終的に「０．０」にする」制御を行う構成としている。
【００１２】
さらに、本装置１のメインスイッチ５０の操作によって、メインエフェクタ部１０の効果付加の起動、及び、その起動停止を操作指示することが可能であり、制御部１００は、メインエフェクタ部１０の動作制御も可能に構成されている。なお、メインエフェクタ部１０では振幅や周波数に基づく効果付加例えばコンプレッション、ディストーション等の効果付加を行い、リリースエフェクタ部２０ではリバーブやフィードバック機能付きのディレイ等の効果付加を行う。フィードバック機能付きディレイを使用する際は、演奏する曲のテンポにディレイタイム（遅延時間）を同期させることにより、違和感なく効果付加部の切り替えを行うことができる。そして、後述するが、リリースエフェクタ部２０は、メインエフェクタ部１０から供給される効果付加信号を格納しておくための格納領域を備えている。
【００１３】
（動作）
次に、図２，図３、図５等を参照して本装置１の動作を説明する。今、メインスイッチ５０を操作してメインエフェクタ部１０の効果付加の起動を指示すると、制御部１００はメインエフェクタ部１０に制御信号を送ってメインエフェクタ部１０の効果付加を起動させる。この際、スイッチ３０、３２をオン状態にする一方、スイッチ３４をオフ状態とする。図２はこの場合の動作の説明図である。点線Ａで示すように、メインエフェクタ部１０からの出力信号はスイッチ３２、加算器４０を介して、不図示のデジタルアナログ変換器によってアナログ信号に変換して外部出力する。この結果、メインエフェクタ部１０によって効果付加が施された音信号が外部出力される。
【００１４】
一方、点線Ａを参照すれば分かるように、メインエフェクタ部１０からの出力信号はスイッチ３０を介してリリースエフェクタ部２０に供給される。リリースエフェクタ部２０はこれを格納しておく。この格納動作は例えば所定記憶容量を有するＦＩＦＯ等で実現でき、古い信号は順次、先出し廃棄されるようにすれば良い。
【００１５】
次に、メインスイッチ５０を操作して、メインエフェクタ部１０の効果付加の起動停止を指示すると、制御部１００はメインエフェクタ部１０に制御信号を送ってメインエフェクタ部１０の効果付加を起動停止させる。そして、スイッチ３０、３２はオフ状態になって、スイッチ３４のみがオン状態となる。図３はこの場合の動作の説明図である。点線Ｂで示すように、リリースエフェクタ部２０からの出力信号はスイッチ３４、加算器４０を介して、不図示のデジタルアナログ変換器によってアナログ信号に変換されて外部出力される。この結果、リリースエフェクタ部２０によって効果付加が施された音信号が外部出力される。
【００１６】
この場合、リリースエフェクタ部２０に内に既に格納されているメインエフェクタ部１０によって効果付加が施された信号に対して、更にリリースエフェクタ部２０が効果付加を施して外部出力する。したがって、図５に示すようにメインエフェクタ部１０からの出力に替えて、リリースエフェクタ部２０からの出力を行っても、切り替えノイズの発生や切り替え違和感等が生じない。
【００１７】
このように、メインエフェクタ部１０（第１のエフェクタ部）を起動させた場合には、メインエフェクタ部１０での効果付加（第１の効果付加）が施された信号のみを外部出力させると共に、リリースエフェクタ部２０（第２のエフェクタ部）に第１の効果付加信号を供給格納させておく。一方、メインエフェクタ部１０（第１のエフェクタ部）の起動を停止させた場合には、メインエフェクタ部２０（第２のエフェクタ部）において供給格納されていた効果付加信号に対して第２の効果付加を施してこの信号を外部出力させる。この結果、時間調整等の複雑な処理を不要としながら、付加効果を切り替え可能な効果付加装置を実現することが可能になる。
【産業上の利用可能性】
【００１８】
以上説明してきたように、本発明は楽音信号等に効果付加を施す装置として利用することができる。
【図面の簡単な説明】
【００１９】
【図１】効果付加装置１の構成図である。
【図２】効果付加装置１の構成および動作の説明図である。
【図３】効果付加装置１の構成および動作の説明図である。
【図４】スイッチの構成例の説明図である。
【図５】装置動作の説明図である。
【符号の説明】
【００２０】
１  効果付加装置
１０  メインエフェクタ部
２０  リリースエフェクタ部
３０  スイッチ
３２  スイッチ
３４  スイッチ
４０  加算器
５０  メインスイッチ
１００  制御部
【図１】
2008003509.tif 000003
【図２】
2008003509.tif 000004
【図３】
2008003509.tif 000005
【図４】
2008003509.tif 000006
【図５】
2008003509.tif 000007